(57)【要約】      （修正有）【課題】使用者がマイクを上下左右前後に動かし口部とマイクの相対位置が変動しても、口部とマイクの接触を防止すると共に、マイクの移動に追随して使用者の唾液の飛沫を捕捉可能なマイクカバー装置を提供する。【解決手段】マイクカバー装置１は、使用者の口部とマイクの間の空間に配設され、開口部１３が設けられたフレーム１０と、フレームの開口部に張設され、使用者の口部とマイクの接触を防止すると共に使用者から放出される唾液の飛沫を捕捉可能なエアフィルタ２０と、フレームを一端で回動自在に支持する屈曲自在な柱体３０と、柱体の他端を着脱自在に支持する支持体５０と、支持体が固定されると共に、マイクを握持する手の方の腕部の前腕に装着可能なリストバンド４０と、リストバンドの外周に設けられる収容部４１と、収容部に着脱自在に収容される薬液噴射部４２と、を備える。【選択図】図４
0003227968.tif 000002
【実用新案登録請求の範囲】
【請求項１】
使用者の手で握持された状態で使用者の口部に近接させて使用されるマイクロフォン装置を、使用者が使用する際に使用されるマイクカバー装置であって、
使用者の口部とマイクロフォン装置の間の空間に配設され、開口部が設けられたフレームと、
上記フレームの上記開口部に張設され、使用者の口部とマイクロフォン装置の接触を防止すると共に使用者から放出される唾液の飛沫を捕捉可能なエアフィルタと、
上記フレームを一端で回動自在に支持する屈曲自在な柱体と、
上記柱体の他端を着脱自在に支持する支持体と、
上記支持体が固定されると共に、マイクロフォン装置を握持する手の方の前腕に装着可能な装着体と、を備える、
ことを特徴とするマイクカバー装置。
【請求項２】
請求項１記載のマイクカバー装置において、
上記装着体は、外周に設けられる収容部と、上記収容部に着脱自在に収容される薬液噴射部と、を備える、
ことを特徴とするマイクカバー装置。
【考案の詳細な説明】
【技術分野】
【０００１】
本考案は、使用者の手で握持された状態で使用者の口部に近接させて使用されるマイクロフォン装置を使用する際に使用されるマイクカバー装置に関する。
【背景技術】
【０００２】
近年、歌唱大会，歌唱教室，料亭，旅館，カラオケボックス，スナック，パブ等において、伴奏音楽を流しながらマイクロフォン装置を用いて歌唱できるカラオケ装置が発達し、今やカラオケは国民的娯楽の一つとして定着している。このカラオケで使用されるマイクは、使用者の手で握持された状態で使用者の口部に近接させて使用されるため、使用者が歌唱すると、使用者の口部がマイクに接触すると共に、口内から唾液の飛沫が放出されマイクに付着して不衛生になり易い問題がある。
【０００３】
このような問題を回避する手段について一例を挙げると、マイクにポリウレタンフォームなどの弾性発泡体によりキャップ状に形成された若干の伸縮性を有しているマイクカバーを装着する構造が開示されている（特許文献１）。
【０００４】
また、使用者の頭部に装着される頭部取付用バンドに、自在金具を介して自在支柱を接続し、自在支柱の他端に自在金具を介して防止板を接続するものが開示されている（特許文献２）。
【先行技術文献】
【特許文献】
【０００５】
【特許文献１】実開平６−９２９５号公報
【特許文献２】実全昭６３−１２５９４３号公報
【考案の概要】
【考案が解決しようとする課題】
【０００６】
しかし、特許文献１に記載のものは、例えば飛沫感染が疑われているウィルスに起因する疾患が流行している場合、一の使用者が歌い終わる毎にマイクカバーを交換しなければ不衛生であり、交換の手間がかかると共に多量のマイクカバーを要するのでコストが増大する。
【０００７】
また、特許文献２に記載のものは、カラオケを利用している使用者毎に特許文献２に記載の装置を用意させれば、交換の手間がかからずコストも抑えることができる。しかし、特許文献２に記載のものは頭部に装置を装着するので、カラオケの娯楽性を減退させてしまう虞がある。また、カラオケを歌唱する際、カラオケを楽しみ高揚した使用者は、マイクを上下左右前後に動かし口部とマイクの相対位置は変動するものであり、特許文献２に記載のものでは、頭部とマイクの位置関係によっては使用者の口部とマイクの間の空間に防止板が配置されない状態が生じ得るので、唾液の飛沫がマイクに付着する虞がある。
【０００８】
本考案はこのような事情の下になされたものであり、その目的は、カラオケの娯楽性を減退させることなく、使用者がマイクを上下左右前後に動かし口部とマイクの相対位置が変動しても、口部とマイクの接触を防止すると共に、マイクの移動に追随して使用者の唾液の飛沫を捕捉可能なマイクカバー装置を提供することにある。
【課題を解決するための手段】
【０００９】
上記課題を解決するために、マイクカバー装置は、使用者の手で握持された状態で使用者の口部に近接させて使用されるマイクロフォン装置を、使用者が使用する際に使用されるマイクカバー装置であって、使用者の口部とマイクロフォン装置の間の空間に配設され、開口部が設けられたフレームと、上記フレームの上記開口部に張設され、使用者の口部とマイクロフォン装置の接触を防止すると共に使用者から放出される唾液の飛沫を捕捉可能なエアフィルタと、上記フレームを一端で回動自在に支持する屈曲自在な柱体と、上記柱体の他端を着脱自在に支持する支持体と、上記支持体が固定されると共に、マイクロフォン装置を握持する手の方の前腕に装着可能な装着体と、を備える、ことを特徴とする（請求項１）。
【００１０】
このように構成することによって、装着体に固定された支持体に支持された柱体を屈曲すると共に柱体に支持されたフレームを回動することにより、使用者の口部とマイクロフォン装置の間にフレームに張設されたエアフィルタを適切な位置に配設することができる。
【００１１】
また、柱体が着脱自在に支持体に支持されており、カラオケを歌唱する以外の際は、フレームと柱体を取り外すことができるので、フレームと柱体が邪魔になるのを防止することができる。
【００１２】
マイクカバー装置は、装着体により前腕に装着されているため、頭部に装着するものと比較して装着感が良いので、カラオケの娯楽性を減退させることはない。また、装着体により腕部に装着されているため、使用者がマイクを上下左右前後に動かしても、フレームに張設されたエアフィルタがマイクの移動に追随して移動するので、使用者の口部とマイクロフォン装置の接触を防止すると共に唾液の飛沫を捕捉可能である。
【００１３】
この場合、上記装着体は、外周に設けられる収容部と、上記収容部に着脱自在に収容される薬液噴射部とを備えてもよい（請求項２）。
【００１４】
このように構成することによって、薬液噴射部により例えばアルコール消毒液を噴射すれば、手やマイクを消毒することができるので、清潔さを保つことができる。
【考案の効果】
【００１５】
本考案のマイクカバー装置によれば、上記のように構成されているので、使用者がマイクを上下左右前後に動かし口部とマイクの相対位置が変動しても、口部とマイクの接触を防止すると共に、マイクの移動に追随して使用者の唾液の飛沫を捕捉することができる。
【図面の簡単な説明】
【００１６】
【図１】本考案に係るマイクカバー装置の概略分解正面図である。
【図２】本考案に係るマイクカバー装置を示す概略正面図である。
【図３】本考案に係るマイクカバー装置を示す概略右側面図である。
【図４】本考案に係るマイクカバー装置を使用者に装着した状態を示す斜視図である。
【図５】支持体から柱体を外した状態及び薬液噴射部を取り外した状態を想像線で示した概略右側面図である。
【考案を実施するための形態】
【００１７】
以下、本考案に係るマイクカバー装置１について、図面を参照して説明する。図１は、マイクカバー装置１の概略分解正面図が示されている。図２には、マイクカバー装置１の正面図が示されている。図３には、マイクカバー装置１の右側面図が示されている。図４は、マイクカバー装置１を使用者に装着した状態を示す斜視図が示されている。マイクカバー装置１は、カラオケの娯楽性を減退させることなく、使用者の唾液の飛沫を捕捉することが可能な装置であって、フレーム１０と、フレーム１０の開口部１３に張設されエアフィルタ２０と、フレーム１０を支持する柱体３０と、柱体３０を支持する支持体５０と、支持体５０が固定されると共に前腕に装着されるリストバンド４０と、で主に構成されている。
【００１８】
（フレーム１０の説明）
図１〜３を参照して、フレーム１０について説明する。図１，２には、フレーム１０の正面図が示されている。図３には、フレーム１０の右側面図が示されている。フレーム１０は、エアフィルタ２０を口部とマイクの間の空間に張設させるための部材である。フレーム１０は、直径７センチの透明なリング状の樹脂材で形成されている。
【００１９】
図１，２を参照して、開口部１３について説明する。図１，２には、開口部１３の正面図が示されている。開口部１３は、フレーム１０の中心部に、口部側からマイク側の方向（方向について図３参照）に設けられた筒状の空間である。この場合、開口部１３の内径は６センチとなっている。
【００２０】
（エアフィルタ２０の説明）
図１，２を参照して、エアフィルタ２０について説明する。図１，２には、エアフィルタ２０の正面図が示されている。エアフィルタ２０は、フレーム１０により口部とマイクの間の空間に張設され、口部とマイクの接触を防止すると共に使用者から放出される唾液の飛沫を捕捉する。エアフィルタ２０は、不織布を直径６．５センチの円形に切断して形成されている。なお、本実施形態においては、エアフィルタ２０として不織布を利用したが、空気を通過しつつ唾液の飛沫を捕捉することが可能な素材であれば何れであってもよい。
【００２１】
（柱体３０の説明）
図１〜３を参照して、柱体３０について説明する。図１，２には、柱体３０の正面図が示されている。図３には、柱体３０の右側面図が示されている。柱体３０は、フレーム１０を支持すると共に、フレーム１０を使用者の所望の位置に配置するための部材である。柱体３０は、柱体本体３１を備えている。柱体本体３１は、屈曲自在な柱体例えば長さ１０センチのフレキシブルチューブで形成されている。フレキシブルチューブは屈曲自在であり、フレーム１０を支持する柱体３０の一端（先端）を所望の位置に配置することができる。柱体本体３１の先端には、フレーム１０の外周に形成されたボール部１１を連結可能なボール収容部３３が形成されている。柱体本体３１の他端は、後述する支持体５０の孔部５１に挿入され、柱体３０は支持体５０に着脱自在に支持される。
【００２２】
（支持体５０の説明）
図１〜４を参照して、支持体５０について説明する。図１，２には、支持体５０の正面図が示されている。図３には、支持体５０の右側面図が示されている。図４には、支持体５０の斜視図が示されている。支持体５０は、柱体３０の他端を着脱自在に支持する。支持体５０は、前腕の湾曲に沿うように湾曲したプラスチック製の矩形板状体である。支持体５０の平面には、支持体５０の端部を挿入して嵌合可能な孔部５１が形成されている。
【００２３】
（リストバンド４０の説明）
図１〜４を参照して、リストバンド４０について説明する。図１，２には、リストバンド４０の正面図が示されている。図３には、リストバンド４０の右側面図が示されている。図４には、使用者によって装着された状態のリストバンド４０の斜視図が示されている。リストバンド４０は、支持体５０が固定されると共に、使用者の前腕に装着される部材である。リストバンド４０は、本発明における装着体を構成する。リストバンド４０は、伸縮性のある材料を筒状にして形成されている。リストバンド４０には、外周にトンネル状の収容部４１と、収容部４１に着脱自在に収容される薬液噴射部４２とを備えている。収容部４１は、伸縮性のある材料をトンネル状にして、開口がリストバンドの開口と同方向に向くように形成されている。薬液噴射部４２は、円柱状のプッシュ式スプレーであり、頭部を押すことにより、内部には収容されたアルコール消毒液が噴射される構成である。薬液噴射部４２は、収容部４１のトンネル状開口内に挿通された状態で着脱自在に収納されている。
【００２４】
（マイクカバー装置１の組み立て作業について）
上記のように構成される各部材を下記のように連結して、マイクカバー装置１を組み立てる。
【００２５】
まず、エアフィルタ２０とフレーム１０を連結する。エアフィルタ２０とフレーム１０の連結は、エアフィルタ２０の周縁と、フレーム１０の口側の開口部１３周縁とを、接着剤で接着固定することにより連結する。
【００２６】
次いで、支持体５０とリストバンド４０を固定する。図３には、支持体５０とリストバンド４０を固定した状態の正面図が示されている。支持体５０とリストバンド４０の連結は、リストバンド４０の外周と、支持体５０の裏面とを接着剤で接着固定する。
【００２７】
次いで、フレーム１０と柱体３０を連結する。図３には、フレーム１０と柱体３０を連結した状態の正面図が示されている。フレーム１０と柱体３０の連結は、フレーム１０の外周に設けられたボール部１１を、柱体３０の先端に設けられたボール収容部３３に収容固定することで連結する。柱体３０に対してボールジョイントされたフレーム１０は、ジョイント部を軸として左右前後斜め方向に回動することができる。
【００２８】
次いで、柱体３０と支持体５０を連結する。図３には、柱体３０と支持体５０を連結した状態の正面図が示されている。柱体３０と支持体５０の連結は、柱体３０の他端を支持体５０の孔部５１に挿入して嵌合することで連結される。
【００２９】
以上でマイクカバー装置１の組み立て作業は終了である。
【００３０】
（マイクカバー装置１の装着作業について）
上記のように組み立てたマイクカバー装置１は、下記のように装着する。図４には、マイクカバー装置１を使用者に装着した状態を示す斜視図が示されている。
【００３１】
使用者は、マイクを握持する手にリストバンド４０を差し入れ、リストバンド４０が前腕に達するまで挿入する。次いで、リストバンド４０を回転させ、柱体３０がマイクを持った際に上向きになる位置にする。
【００３２】
次いで、使用者は、フレキシブルチューブにて形成される柱体３０を屈曲する。使用者は、マイクを所望のベストポジションの位置で握持し、柱体３０の先端がマイクの手前斜め上の位置に配置されるように柱体３０をマイク方向に屈曲する。
【００３３】
次いで、使用者は、柱体３０に対してボールジョイントされたフレーム１０を回動させる。使用者は、フレーム１０をマイク方向に回動させて、エアフィルタ２０がマイクを覆い被さる位置まで回動する。この場合、エアフィルタ２０とマイクまでの距離は、２センチ以上５センチ以下とすることが好ましい。このように、リストバンド４０に支持された柱体３０を屈曲すると共に柱体３０に支持されたフレーム１０を回動することにより、使用者の口部とマイクの間にフレーム１０に張設されたエアフィルタ２０を適切な位置に配設することができる。
【００３４】
以上でマイクカバー装置１の装着作業は終了である。
【００３５】
上記のように装着されたマイクカバー装置１は、リストバンド４０により前腕に装着されているため、頭部に装着するものと比較して装着感が良いので、カラオケの娯楽性を減退させることはない。また、リストバンド４０により前腕に装着されているため、使用者がマイクを上下左右前後に動かしても、フレーム１０に張設されたエアフィルタ２０がマイクの移動に追随して移動するので、口部とマイクの接触を防止すると共に唾液の飛沫を捕捉可能である。
【００３６】
したがって、本考案のマイクカバー装置１によれば、使用者がマイクを上下左右前後に動かし口部とマイクの相対位置が変動しても、口部とマイクの接触を防止すると共に、マイクの移動に追随して使用者の唾液の飛沫を捕捉することができる。
【００３７】
（柱体３０の着脱作業について）
上記のように装着されたマイクカバー装置１は、支持体５０から柱体３０を取り外すことができる。図５には、支持体５０から柱体５０を外した状態の右側面図が示されている。このように、柱体３０が着脱自在に支持体５０に支持されており、カラオケを歌唱する以外の際は、フレーム１０と柱体２０を取り外すことができるので、フレーム１０と柱体２０が邪魔になるのを防止することができる。
【００３８】
（薬液噴射部４２について）
上記のように装着されたマイクカバー装置１は、リストバンド４０の収容部４１に収容された薬液噴射部４２を使用して消毒をすることができる。薬液噴射部４２を収容部４１に収容したまま、アルコール消毒液を噴射しても良いし、図５に示すように、薬液噴射部４２を収容部４１から取り外してアルコール消毒液を噴射しても良い。このように、ストバンド４０が、外周に設けられる収容部４１と、収容部４１に着脱自在に収容される薬液噴射部４２とを備えることによって、薬液噴射部４２を取り外してアルコール消毒液を手やマイクに噴射すれば、手やマイクを消毒することができるので、清潔さを保つことができる。
【００３９】
本考案は上記の実施形態及び実施例の例示に限定されるものでなく、実用新案登録請求の範囲の技術的範囲には、考案の要旨を逸脱しない範囲内で種々、設計変更した形態が含まれる。
【符号の説明】
【００４０】
１  マイクカバー装置
１０  フレーム
１３  開口部
２０  エアフィルタ
３０  柱体
４０  リストバンド（装着体）
４１  収容部
４２  薬液噴射部
【図１】
0003227968.tif 000003
【図２】
0003227968.tif 000004
【図３】
0003227968.tif 000005
【図４】
0003227968.tif 000006
【図５】
0003227968.tif 000007